(57)【特許請求の範囲】
【請求項１】
太陽光発電パネル（11）と、該太陽光発電パネル（11）を支持する支持部材（14）と、該支持部材（14）に固定されて下方に延びる支柱（19）と、地面に打ち込まれた杭（20）に対して該支柱（19）を固定するクランプ部材（25）とを備えた太陽光パネルユニットであって、
前記杭（20）の上端に載置される載置部（31）と、前記支柱（19）の下端に当接することで前記太陽光発電パネル（11）の高さ方向の位置を決める受け部（32）と、該受け部（32）と該載置部（31）とを連結する連結部（33）とを有する位置決め部材（30）を備えたことを特徴とする太陽光パネルユニット。
【請求項２】
請求項１において、
前記載置部（31）には、前記杭（20）の外周面に沿って下方に延びる係合部（34）が設けられていることを特徴とする太陽光パネルユニット。
【請求項３】
請求項１において、
前記杭（20）は、上端が開口した開口部（20a）を有する筒状の部材で構成され、
前記載置部（31）には、前記杭（20）の開口部（20a）に内嵌される内嵌キャップ部（35）が設けられていることを特徴とする太陽光パネルユニット。
【請求項４】
請求項１において、
前記載置部（31）には、前記杭（20）の上端部に外嵌される外嵌キャップ部（36）が設けられていることを特徴とする太陽光パネルユニット。
【請求項５】
請求項１乃至４のうち何れか１つにおいて、
前記受け部（32）には、前記杭（20）を挿通可能な挿通孔（32a）が形成されていることを特徴とする太陽光パネルユニット。
【請求項６】
請求項１乃至５のうち何れか１つにおいて、
前記連結部（33）は、前記クランプ部材（25）によって前記杭（20）に共締めされていることを特徴とする太陽光パネルユニット。
【発明の詳細な説明】
【技術分野】
【０００１】
本発明は、太陽光パネルユニットに関するものである。
【背景技術】
【０００２】
従来より、直立する１本の支柱と、支柱の上部に直交して角度調整可能に設けられる支持部材と、支持部材に角度調整可能に取り付けられる骨組みと、骨組みに固定される太陽電池パネルとを備えた支柱直立型太陽電池立設設備が知られている（例えば、特許文献１参照）。
【０００３】
特許文献１に記載の支持部材は、支柱の両側を挟んで配置された２つの縦材を有しており、縦材の貫通孔にボルトが挿通されてナットで締結することで、支柱に固定されている。
【先行技術文献】
【特許文献】
【０００４】
【特許文献１】特開２０１３−１２２１５８号公報
【発明の概要】
【発明が解決しようとする課題】
【０００５】
ところで、特許文献１の発明では、支柱を丸型鋼管で構成しているが、ボルトを挿通するための孔を丸型鋼管に追加工しなければならない。そのため、丸型鋼管をそのまま使用することができず、加工費用が余分にかかってしまうという問題がある。
【０００６】
ここで、丸型鋼管で構成された杭に対して追加工を施すことなく太陽光発電パネルを設置するために、例えば、予め地面に設置された杭に対して、太陽光発電パネルの支持部材をクランプ部材で締結する構造を採用することが考えられる。
【０００７】
しかしながら、このようなクランプ部材による締結構造を採用すると、締結作業時に太陽光パネルユニットの高さ調整が必要となるため、設置作業が容易ではないという問題がある。
【０００８】
本発明は、かかる点に鑑みてなされたものであり、その目的は、地面に打ち込まれた杭に対して太陽光発電パネルを取り付ける際に、太陽光発電パネルの高さ方向の位置決めを容易に行うことができるようにすることにある。
【課題を解決するための手段】
【０００９】
本発明は、太陽光発電パネル（11）と、該太陽光発電パネル（11）を支持する支持部材（14）と、該支持部材（14）に固定されて下方に延びる支柱（19）と、地面に打ち込まれた杭（20）に対して該支柱（19）を固定するクランプ部材（25）とを備えた太陽光パネルユニットを対象とし、次のような解決手段を講じた。
【００１０】
すなわち、第１の発明は、前記杭（20）の上端に載置される載置部（31）と、前記支柱（19）の下端に当接することで前記太陽光発電パネル（11）の高さ方向の位置を決める受け部（32）と、該受け部（32）と該載置部（31）とを連結する連結部（33）とを有する位置決め部材（30）を備えたことを特徴とするものである。
【００１１】
第１の発明では、載置部（31）は、杭（20）の上端に載置される。位置決め部材（30）の受け部（32）は、支柱（19）の下端に当接して支柱（19）を受けている。受け部（32）と載置部（31）とは、連結部（33）で連結されている。このように、太陽光発電パネル（11）を杭（20）に取り付ける際に、支持部材（14）の支柱（19）と杭（20）との間に位置決め部材（30）を介在させることで、杭（20）に追加工を施すことなく、太陽光発電パネル（11）の高さ方向の位置決めを行うことができる。
【００１２】
また、連結部（33）の長さが異なっている別の位置決め部材（30）に取り替えるだけで、太陽光発電パネル（11）の高さ位置を適宜設定することができる。
【００１３】
第２の発明は、第１の発明において、
前記載置部（31）には、前記杭（20）の外周面に沿って下方に延びる係合部（34）が設けられていることを特徴とするものである。
【００１４】
第２の発明では、載置部（31）に係合部（34）が設けられているので、位置決め部材（30）の載置部（31）を杭（20）の上端に載置させたときに係合部（34）が杭（20）に係合する。これにより、位置決め部材（30）が杭（20）から脱落しなくなり、位置決め部材（30）を作業者が押さえておく必要が無いため、太陽光発電パネル（11）の設置作業をスムーズに行うことができる。
【００１５】
第３の発明は、第１の発明において、
前記杭（20）は、上端が開口した開口部（20a）を有する筒状の部材で構成され、
前記載置部（31）には、前記杭（20）の開口部（20a）に内嵌される内嵌キャップ部（35）が設けられていることを特徴とするものである。
【００１６】
第３の発明では、杭（20）の上端には、開口部（20a）が形成されている。内嵌キャップ部（35）は、位置決め部材（30）の載置部（31）を杭（20）の上端に載置させたときに杭（20）の開口部（20a）に内嵌される。これにより、位置決め部材（30）が杭（20）から脱落しなくなり、位置決め部材（30）を作業者が押さえておく必要が無いため、太陽光発電パネル（11）の設置作業をスムーズに行うことができる。
【００１７】
第４の発明は、第１の発明において、
前記載置部（31）には、前記杭（20）の上端部に外嵌される外嵌キャップ部（36）が設けられていることを特徴とするものである。
【００１８】
第４の発明では、載置部（31）に外嵌キャップ部（36）が設けられているので、位置決め部材（30）の載置部（31）を杭（20）の上端に載置させたときに外嵌キャップ部（36）が杭（20）に外嵌される。これにより、位置決め部材（30）が杭（20）から脱落しなくなり、位置決め部材（30）を作業者が押さえておく必要が無いため、太陽光発電パネル（11）の設置作業をスムーズに行うことができる。
【００１９】
第５の発明は、第１乃至第４の発明のうち何れか１つにおいて、
前記受け部（32）には、前記杭（20）を挿通可能な挿通孔（32a）が形成されていることを特徴とするものである。
【００２０】
第５の発明では、受け部（32）には、杭（20）を挿通可能な挿通孔（32a）が形成される。そして、受け部（32）の挿通孔（32a）に杭（20）を挿通させながら、載置部（31）を杭（20）の上端に載置させるようにすれば、位置決め部材（30）が杭（20）から脱落しなくなる。
【００２１】
第６の発明は、第１乃至第５の発明のうち何れか１つにおいて、
前記連結部（33）は、前記クランプ部材（25）によって前記杭（20）に共締めされていることを特徴とするものである。
【００２２】
第６の発明では、クランプ部材（25）によって連結部（33）を杭（20）に共締めすることで、位置決め部材（30）が杭（20）から脱落しなくなる。なお、クランプ部材（25）は、杭（20）に対して支持部材（14）の支柱（19）を固定するために予め設けられている部材であるから、位置決め部材（30）を杭（20）に固定するための部材を別途用意する必要が無い。
【発明の効果】
【００２３】
本発明によれば、太陽光発電パネル（11）を杭（20）に取り付ける際に、支持部材（14）の支柱（19）と杭（20）との間に位置決め部材（30）を介在させることで、杭（20）に追加工を施すことなく、太陽光発電パネル（11）の高さ方向の位置決めを行うことができる。また、連結部（33）の長さが異なる別の位置決め部材（30）に取り替えるだけで、太陽光発電パネル（11）の高さ位置を適宜設定することができる。
【図面の簡単な説明】
【００２４】
【図１】本実施形態１に係る太陽光発電システムの概略構成を示す斜視図である。
【図２】太陽光パネルユニットの側面図である。
【図３】位置決め部材の構成を示す斜視図である。
【図４】本実施形態２に係る位置決め部材の構成を示す側面図である。
【図５】本実施形態３に係る位置決め部材の構成を示す側面図である。
【図６】本実施形態４に係る位置決め部材の構成を示す側面図である。
【図７】本実施形態５に係る位置決め部材の構成を示す側面図である。
【図８】位置決め部材の構成を示す斜視図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
《実施形態１》
本実施形態は、太陽の位置に合わせて角度が調整される太陽光パネルをそれぞれ有する複数の太陽光パネルユニットを備えた太陽光発電システムに関するものである。太陽光発電システムは、複数台を組み合わせて用いることにより、いわゆるメガソーラーシステムと呼ばれる大規模太陽光発電システムを構築するものである。
【００２７】
〈システムの全体構成〉
図１及び図２に示すように、太陽光発電システム（1）は、１つの第１太陽光パネルユニット（10a）と、複数（図１に示す例では２台）の第２太陽光パネルユニット（10b）を備えている。また、図示を省略しているが、太陽光発電システム（1）には、これらの太陽光パネルユニット（10a,10b）で発電した直流電力を交流電力に変換するパワーコンディショナが設けられている。
【００２８】
これらの太陽光パネルユニット（10a,10b）は、東西方向に一直線上に並んで配置される。第１太陽光パネルユニット（10a）と第２太陽光パネルユニット（10b）の相違点は、後述のアクチュエータユニット（50）を有するか否かである。アクチュエータユニット（50）は、第１太陽光パネルユニット（10a）には設けられているが、第２太陽光パネルユニット（10b）には設けられていない。
【００２９】
なお、以下の説明では、第１太陽光パネルユニット（10a）と第２太陽光パネルユニット（10b）とを区別する必要がない場合には、参照符合として「１０」を付して太陽光パネルユニット（10）と表す。
【００３０】
〈太陽光パネルユニット〉
太陽光パネルユニット（10）は、太陽光発電パネル（11）と、太陽光発電パネル（11）を所定の回転軸（S）周りに回動自在に支持する支持架台（12）とを有している。
【００３１】
太陽光発電パネル（11）は、板状に形成され、一方の面が太陽光の受光面（11a）である。太陽光発電パネル（11）は、受光面（11a）が上面となるように配置され、太陽光を受光面（11a）に受けて直流電力を発生する。太陽光発電パネル（11）は、水平面に対し、南北方向において北側ほど高くなるように傾斜した状態で、支持架台（12）に支持されている。
【００３２】
太陽光発電パネル（11）の裏面には、２本の桟部材（15a,15b）が固定されている。これらの桟部材（15a,15b）は、後述の回転軸（S）と直交する方向に、互いに並行に配置されている。
【００３３】
支持架台（12）は、太陽光発電パネル（11）を回転自在に支持する。図２に示すように、支持架台（12）は、２つの接手部材（13）と、支持部材（14）とを有している。
【００３４】
支持部材（14）は、太陽光発電パネル（11）を支える部材であり、所定長さを有したリップ溝型綱（Ｃ型綱）やチャンネル鋼で形成されている。この例では、Ｃ型鋼が、その開口側が上側となるように用いられている。
【００３５】
また、２つの接手部材（13）は、同一直線上に並ぶように、支持部材（14）の両端付近に回転自在に取り付けられるとともに、桟部材（15a,15b）に固定される。それにより、太陽光発電パネル（11）は、所定の回転軸（S）周りに回転できる。
【００３６】
支持部材（14）には、下方に延びる支柱（19）が固定されている。この支柱（19）は、予め地中に打ち込まれた杭（20）にクランプ部材（25）によって締結される。この例では、支柱（19）は円筒形の鋼管であり、外径が約４８．６ｍｍのものを用いた。また、杭（20）も円筒形の鋼管であり、一例として、外径が６０．５ｍｍのものを用いた。
【００３７】
クランプ部材（25）は、平行に並んだ支柱（19）と杭（20）とを挟み込んで、ネジ機構によって固定する。クランプ部材（25）には、例えば建築資材を締結する汎用のクランプ等、種々のクランプを採用できる。クランプ部材（25）による締結構造を採用したことにより、太陽光発電システム（1）の移設や撤去が容易になる。
【００３８】
〈位置決め部材〉
ここで、後述するように、複数の太陽光パネルユニット（10）を連結ロッド（61）で連結するので、太陽光パネルユニット（10）同士の高さは揃っているのが好ましい。
【００３９】
そこで、本実施形態では、複数の杭（20）を、上端の高さが揃うように予め設置し、杭（20）の上端を基準として、太陽光パネルユニット（10）の高さを揃えるようにしている。以下、この高さ方向の位置を決めるために用いる位置決め部材（30）について説明する。
【００４０】
図２及び図３に示すように、位置決め部材（30）は、杭（20）の上端に載置される載置部（31）と、支柱（19）の下端に当接して支柱（19）を受ける受け部（32）と、受け部（32）と載置部（31）とを連結する連結部（33）とを有する。
【００４１】
位置決め部材（30）は、例えば樹脂材で構成されており、載置部（31）、受け部（32）、及び連結部（33）が一体成形されている。なお、位置決め部材（30）は、一枚の金属板を折り曲げることで構成しても構わない。
【００４２】
連結部（33）は、載置部（31）の一端縁（具体的には、支持架台（12）の支柱（19）が配設される南側の端縁）から下方に延びている。また、連結部（33）は、杭（20）の外周面に沿って湾曲した形状に形成されている。なお、連結部（33）の湾曲形状はあくまでも一例であり、杭（20）の外周面に沿って下方に延びる平板状に形成されていても構わない。
【００４３】
受け部（32）は、連結部（33）の下端縁から杭（20）の径方向外方に延びている。受け部（32）は、支柱（19）の下端に当接することで、太陽光発電パネル（11）を所定の高さ位置に支持している。これにより、太陽光発電パネル（11）の高さ方向の位置が決められる。
【００４４】
このように、太陽光発電パネル（11）を支持する支持部材（14）を杭（20）に取り付ける際に、支持部材（14）の支柱（19）と杭（20）との間に位置決め部材（30）を介在させることで、杭（20）に追加工を施すことなく、太陽光発電パネル（11）の高さ方向の位置決めを行うことができる。
【００４５】
また、太陽光発電パネル（11）の高さ方向の位置は、位置決め部材（30）の連結部（33）の長さによって決定される。そのため、連結部（33）の長さが異なっている別の位置決め部材（30）に取り替えるだけで、太陽光発電パネル（11）の高さ位置を適宜設定することができる。
【００４６】
連結部（33）は、クランプ部材（25）によって杭（20）に共締めされている。これにより、位置決め部材（30）が杭（20）から脱落しなくなる。ここで、クランプ部材（25）は、杭（20）に対して支持部材（14）の支柱（19）を固定するために予め設けられている部材であるから、位置決め部材（30）を杭（20）に固定するための部材を別途用意する必要が無い。
【００４７】
〈アクチュエータユニット〉
図２に示すように、アクチュエータユニット（50）は、アクチュエータ（51）と、伝達機構（53）とを有している。本実施形態のアクチュエータ（51）は、回転式の空気圧アクチュエータであり、空気圧によって出力軸（51a）を回転させる。出力軸（51a）の回転角は、空気の供給量を調整することによって制御される。伝達機構（53）は、具体的にはクランク機構であり、出力軸（51a）の回転に応じて太陽光発電パネル（11）を回転軸（S）周りに揺動させる。
【００４８】
なお、アクチュエータ（51）の構成は例示であり、回転式のものに限定されないし、空気圧式のものにも限定されない。
【００４９】
〈リンク機構〉
太陽光パネルユニット（10）には、リンク機構（60）が接続され、第２太陽光パネルユニット（10b）の太陽光発電パネル（11）は、第１太陽光パネルユニット（10a）の太陽光発電パネル（11）の動作に同期して駆動されるようになっている。
【００５０】
この例では、リンク機構（60）は、リンク部材（17）と連結ロッド（61）とを有している。リンク部材（17）は、図２に示すように、板状の部材によって形成したものであり、桟部材（15b）に固定される。リンク部材（17）の先端は、太陽光発電パネル（11）に対して概ね垂直に下向きに延びている。
【００５１】
連結ロッド（61）は、それぞれのリンク部材（17）同士を連結する円管状の部材である。それぞれの連結ロッド（61）は、リンク部材（17）の下端付近に、回転自在にピン連結されている。第１太陽光パネルユニット（10a）において、太陽光発電パネル（11）が揺動すると、この太陽光発電パネル（11）とともに、リンク部材（17）が回転軸（S）周りに揺動し、連結ロッド（61）が東西方向（図１参照）に変位する。その結果、それぞれの第２太陽光パネルユニット（10b）においても太陽光発電パネル（11）が揺動する。
【００５２】
〈太陽光パネルユニットの設置状態〉
太陽光パネルユニット（10）は、図１に示すように、東西方向に一直線上に並び、且つ各太陽光発電パネル（11）の回転軸（S）が平行となるように設置される。すなわち、回転軸（S）は、南北方向を向くことになる。また、それぞれの太陽光発電パネル（11）は、北側ほど高くなるように、傾斜して支持架台（12）に支持されている。そして、各太陽光パネルユニット（10）は、リンク機構（60）によって、各太陽光発電パネル（11）同士が同期して傾斜角を変えるようになっている。
【００５３】
《実施形態２》
図４は、本実施形態２に係る位置決め部材の構成を示す側面図である。以下、前記実施形態１と同じ部分については同じ符号を付し、相違点についてのみ説明する。
【００５４】
図４に示すように、位置決め部材（30）は、杭（20）の上端に載置される載置部（31）と、支柱（19）の下端に当接して支柱（19）を受ける受け部（32）と、受け部（32）と載置部（31）とを連結する連結部（33）と、載置部（31）から杭（20）の外周面に沿って下方に延びる係合部（34）とを有する。
【００５５】
位置決め部材（30）は、例えば樹脂材で構成されており、載置部（31）、受け部（32）、連結部（33）、及び係合部（34）が一体成形されている。なお、位置決め部材（30）は、一枚の金属板を折り曲げることで構成しても構わない。
【００５６】
連結部（33）は、載置部（31）の一端縁（具体的には、支持架台（12）の支柱（19）が配設される南側の端縁）から下方に延びている。
【００５７】
係合部（34）は、載置部（31）の他端縁（具体的には、杭（20）を挟んで連結部（33）とは反対側の北側の端縁）から下方に延びている。係合部（34）は、載置部（31）を杭（20）の上端に載置させたときに杭（20）に係合する。
【００５８】
これにより、位置決め部材（30）が杭（20）から脱落しなくなり、位置決め部材（30）を作業者が押さえておく必要が無いため、太陽光発電パネル（11）の設置作業をスムーズに行うことができる。
【００５９】
《実施形態３》
図５に示すように、杭（20）は、上端が開口した開口部（20a）を有する円筒形の鋼管で構成されている。
【００６０】
位置決め部材（30）は、杭（20）の上端に載置される載置部（31）と、支柱（19）の下端に当接して支柱（19）を受ける受け部（32）と、受け部（32）と載置部（31）とを連結する連結部（33）と、載置部（31）に設けられて開口部（20a）に内嵌される内嵌キャップ部（35）とを有する。
【００６１】
位置決め部材（30）は、例えば樹脂材で構成されており、載置部（31）、受け部（32）、連結部（33）、及び内嵌キャップ部（35）が一体成形されている。
【００６２】
内嵌キャップ部（35）は、載置部（31）の下面から下方に突出しており、載置部（31）を杭（20）の上端に載置させたときに、杭（20）の開口部（20a）に内嵌される。
【００６３】
これにより、位置決め部材（30）が杭（20）から脱落しなくなり、位置決め部材（30）を作業者が押さえておく必要が無いため、太陽光発電パネル（11）の設置作業をスムーズに行うことができる。
【００６４】
《実施形態４》
図６に示すように、位置決め部材（30）は、杭（20）の上端に載置される載置部（31）と、支柱（19）の下端に当接して支柱（19）を受ける受け部（32）と、受け部（32）と載置部（31）とを連結する連結部（33）と、載置部（31）に設けられて杭（20）の上端部に外嵌される外嵌キャップ部（36）とを有する。
【００６５】
位置決め部材（30）は、例えば樹脂材で構成されており、載置部（31）、受け部（32）、連結部（33）、及び外嵌キャップ部（36）が一体成形されている。
【００６６】
外嵌キャップ部（36）は、載置部（31）の下面から下方に突出する円筒状に形成され、載置部（31）を杭（20）の上端に載置させたときに、杭（20）の上端部に外嵌される。
【００６７】
これにより、位置決め部材（30）が杭（20）から脱落しなくなり、位置決め部材（30）を作業者が押さえておく必要が無いため、太陽光発電パネル（11）の設置作業をスムーズに行うことができる。
【００６８】
《実施形態５》
図７及び図８に示すように、位置決め部材（30）は、杭（20）の上端に載置される載置部（31）と、支柱（19）の下端に当接して支柱（19）を受ける受け部（32）と、受け部（32）と載置部（31）とを連結する連結部（33）とを有する。
【００６９】
位置決め部材（30）は、例えば樹脂材で構成されており、載置部（31）、受け部（32）、及び連結部（33）が一体成形されている。なお、位置決め部材（30）は、一枚の金属板を折り曲げることで構成しても構わない。
【００７０】
載置部（31）は、杭（20）よりも北側（図７で右側）に突出するように延びている。具体的には、載置部（31）の北側の端縁が平面視でクランプ部材（25）に干渉しない位置まで延びている。連結部（33）は、載置部（31）の北側の端縁から下方に延びている。
【００７１】
受け部（32）は、連結部（33）の下端縁から南側（図７で左側）に向かって延びている。受け部（32）における長手方向の略中央位置には、杭（20）を挿通可能な挿通孔（32a）が形成されている。
【００７２】
ここで、位置決め部材（30）を杭（20）に取り付ける際には、まず、杭（20）の上方から受け部（32）の挿通孔（32a）に杭（20）を挿通させる。そして、杭（20）に沿って位置決め部材（30）を下方に降ろしていき、載置部（31）を杭（20）の上端に載置させる。
【００７３】
これにより、位置決め部材（30）が杭（20）から脱落しなくなり、位置決め部材（30）を作業者が押さえておく必要が無いため、太陽光発電パネル（11）の設置作業をスムーズに行うことができる。
【００７４】
なお、本実施形態では、連結部（33）を杭（20）よりも北側に配設した構成について説明しているが、この形態に限定するものではない。つまり、連結部（33）は、クランプ部材（25）に干渉しない位置で載置部（31）と受け部（32）とを連結できればよいので、例えば、杭（20）よりも西側又は東側に連結部（33）を配設した構成であってもよい。
【００７５】
《その他の実施形態》
前記実施形態については、以下のような構成としてもよい。
【００７６】
本実施形態では、太陽光発電システム（1）を構成する太陽光パネルユニット（10）の設置数は例示であり、例えば、第１太陽光パネルユニット（10a）と第２太陽光パネルユニット（10b）の１台ずつで構成してもよいし、１台の第１太陽光パネルユニット（10a）とともに３台以上の第２太陽光パネルユニット（10b）を用いて太陽光発電システム（1）を構成してもよい。
【産業上の利用可能性】
【００７７】
以上説明したように、本発明は、地面に打ち込まれた杭に対して太陽光発電パネルを取り付ける際に、太陽光発電パネルの高さ方向の位置決めを容易に行うことができるという実用性の高い効果が得られることから、きわめて有用で産業上の利用可能性は高い。
【符号の説明】
【００７８】
10    太陽光パネルユニット
11    太陽光発電パネル
14    支持部材
19    支柱
20    杭
20a   開口部
25    クランプ部材
30    位置決め部材
31    載置部
32    受け部
32a   挿通孔
33    連結部
34    係合部
35    内嵌キャップ部
36    外嵌キャップ部
【図１】
0006394381.tif 000002
【図２】
0006394381.tif 000003
【図３】
0006394381.tif 000004
【図４】
0006394381.tif 000005
【図５】
0006394381.tif 000006
【図６】
0006394381.tif 000007
【図７】
0006394381.tif 000008
【図８】
0006394381.tif 000009